(57)【要約】【課題】  オーディオ信号処理装置において、ヘッドホンに２チャンネル信号を出力するか４チャンネル信号を分けて出力するかを自動的に切り換える【解決手段】  オーディオ信号処理装置において、２チャンネルオーディオ信号をヘッドホンに出力する第１及び第２の出力端子と、４チャンネルオーディオ信号を第１及び第２の出力端子に分けて出力するか２チャンネルオーディオ信号を第１及び第２の出力端子にそれぞれ出力するかを切り換える切換部と、第１及び第２の出力端子の接続の有無を検出する接続検出部と、第１及び第２の出力端子に接続されたことを検出したとき検出時間差を検出する時間差検出部と、検出した時間差が予め設定した時間差以内であれば４チャンネルオーディオ信号を第１及び第２の出力端子に分けて出力させ、検出した時間差が予め設定した時間差を超えれば２チャンネルオーディオ信号を第１及び第２の出力端子に出力させる制御部を備える。【選択図】      図１
2006261875.tif 000002
【特許請求の範囲】
【請求項１】
４チャンネルのオーディオ信号の音量及び音質を調節する第１の調節部と、２チャンネルのオーディオ信号の音量及び音質を調節する第２の調節部と、２チャンネルのオーディオ信号をヘッドホンに出力する第１のヘッドホン出力端子及び第２のヘッドホン出力端子と、前記第１の調節部が調節した４チャンネルのオーディオ信号を第１のヘッドホン出力端子及び第２のヘッドホン出力端子にそれぞれ２チャンネルずつ分けて出力するか、前記第２の調節部が調節した２チャンネルのオーディオ信号を第１のヘッドホン出力端子及び第２のヘッドホン出力端子にそれぞれ出力するかを切り換える出力切換部と、前記第１のヘッドホン出力端子及び第２のヘッドホン出力端子におけるヘッドホンの接続の有無を検出するヘッドホン接続検出部と、前記ヘッドホン接続検出部が前記第１のヘッドホン出力端子及び第２のヘッドホン出力端子にヘッドホンが接続されたことを検出したとき前記第１のヘッドホン出力端子と第２のヘッドホン出力端子におけるヘッドホンの接続を検出した時間の差を検出する接続時間差検出部と、前記接続時間差検出部が検出した時間差が予め設定した時間差以内であるとき前記第１の調節部が調節した４チャンネルのオーディオ信号を第１のヘッドホン出力端子及び第２のヘッドホン出力端子にそれぞれ２チャンネルずつ分けて出力させ、前記接続時間差検出部が検出した時間差が予め設定した時間差を超えるとき前記第２の調節部が調節した２チャンネルのオーディオ信号を第１のヘッドホン出力端子及び第２のヘッドホン出力端子にそれぞれ出力させるように前記出力切換部を切り換える制御部とを備えることを特徴とするオーディオ信号処理装置。
【発明の詳細な説明】
【技術分野】
【０００１】
本発明は、サラウンド再生等の複数チャンネルのオーディオ信号処理を行うオーディオ信号処理装置に関する。
【背景技術】
【０００２】
記録媒体に記録された映像信号及びオーディオ信号を記録媒体再生装置によって再生し、再生した映像信号を映像表示装置によって表示するときに、再生したオーディオ信号の音量及び音質を調節して、視聴者の前方左右及び後方左右等に配置したスピーカに出力するＡＶ(Audio Visual)アンプ等のオーディオ信号処理装置がある。このようなオーディオ信号処理装置が出力するオーディオ信号を聴取するため、前方左右及び後方左右のスピーカユニットを備えたヘッドホンが提供されている(特許文献１参照)。
【０００３】
【特許文献１】特開２００２−１０１４９０号公報
【発明の開示】
【発明が解決しようとする課題】
【０００４】
前方左右及び後方左右のスピーカユニットを備えたヘッドホンを使用する場合、オーディオ信号処理装置は、複数チャンネルのヘッドホン出力端子を備える必要がある。対応方法として、オーディオ信号処理装置に２チャンネルのヘッドホン出力端子を２個設け、当該２個のヘッドホン出力端子をそれぞれ２チャンネルオーディオ信号の出力端子として用いる通常の使用方法に加えて、それぞれサラウンド用オーディオ信号の前方左右２チャンネル及び後方左右２チャンネルの接続端子として切り換えて使用することが考えられる。このような方法で、ヘッドホン出力端子を４チャンネル出力用又は２チャンネル出力用に切り換えて使用するとき、ヘッドホンに出力するオーディオ信号の切り換え操作を必要とした。
【０００５】
本発明の目的は、オーディオ信号処理装置において、ヘッドホン出力端子に２チャンネルオーディオ信号を出力するか4チャンネルオーディオ信号を出力するかを、手動操作を要さずに切り換える装置を提供することにある。
【課題を解決するための手段】
【０００６】
本発明の請求項１に記載のオーディオ信号処理装置は、４チャンネルのオーディオ信号の音量及び音質を調節する第１の調節部と、２チャンネルのオーディオ信号の音量及び音質を調節する第２の調節部と、２チャンネルのオーディオ信号をヘッドホンに出力する第１のヘッドホン出力端子及び第２のヘッドホン出力端子と、前記第１の調節部が調節した４チャンネルのオーディオ信号を第１のヘッドホン出力端子及び第２のヘッドホン出力端子にそれぞれ２チャンネルずつ分けて出力するか、前記第２の調節部が調節した２チャンネルのオーディオ信号を第１のヘッドホン出力端子及び第２のヘッドホン出力端子にそれぞれ出力するかを切り換える出力切換部と、前記第１のヘッドホン出力端子及び第２のヘッドホン出力端子におけるヘッドホンの接続の有無を検出するヘッドホン接続検出部と、前記ヘッドホン接続検出部が前記第１のヘッドホン出力端子及び第２のヘッドホン出力端子にヘッドホンが接続されたことを検出したとき前記第１のヘッドホン出力端子と第２のヘッドホン出力端子におけるヘッドホンの接続を検出した時間の差を検出する接続時間差検出部と、前記接続時間差検出部が検出した時間差が予め設定した時間差以内であるとき前記第１の調節部が調節した４チャンネルのオーディオ信号を第１のヘッドホン出力端子及び第２のヘッドホン出力端子にそれぞれ２チャンネルずつ分けて出力させ、前記接続時間差検出部が検出した時間差が予め設定した時間差を超えるとき前記第２の調節部が調節した２チャンネルのオーディオ信号を第１のヘッドホン出力端子及び第２のヘッドホン出力端子にそれぞれ出力させるように前記出力切換部を切り換える制御部とを備えるものである。
【発明の効果】
【０００７】
本発明のオーディオ信号処理装置によれば、ヘッドホン出力端子に２チャンネルオーディオ信号を出力するか４チャンネルオーディオ信号を出力するかを、手動操作を行わずに、切り換えることができる。
【発明を実施するための最良の形態】
【０００８】
図１は、本発明のオーディオ信号処理装置の一実施例の構成を示すブロック図である。
入力端子１ａ、１ｂは、サラウンド再生を行う場合、使用者の前方に位置する左右のスピーカ用のオーディオ信号を音量音質調節部２ａに入力する。入力端子１ｃ、１ｄは、サラウンド再生を行う場合、使用者の後方に位置する左右のスピーカ用のオーディオ信号を音量音質調節部２ｂに入力する。入力端子１ｅ、１ｆは、２チャンネル再生を行う場合、２チャンネルオーディオ信号を音量音質調節部２ｃに入力する。
【０００９】
音量音質調節部２ａは、入力端子１ａ、１ｂから入力された前方左右のサラウンド用オーディオ信号の音量と音質を調節する。音量は、オーディオ信号全体の振幅レベルを増減させて調節する。音質は、予め定められた範囲の周波数帯域のオーディオ信号、即ち調節対象とする周波数帯域の低音又は高音の振幅レベルを増減させて調節する。音量音質調節部２ｂは、入力端子１ｃ、１ｄから入力された後方左右のサラウンド用オーディオ信号の音量と音質を調節する。音量音質調節部２ｃは、入力端子１ｅ、１ｆから入力された２チャンネルオーディオ信号の音量と音質を調節する。
【００１０】
アンプ３ａ、３ｂは、音量音質調節部２ａから入力されるオーディオ信号を増幅する。アンプ３ｃ、３ｄは、音量音質調節部２ｂから入力されるオーディオ信号を増幅する。アンプ３ｅ、３ｆは、音量音質調節部２ｃから入力されるオーディオ信号を増幅する。リレー４ａは、アンプ３ａ、３ｂから入力される前方左右のサラウンド用オーディオ信号とアンプ３ｅ、３ｆから入力される２チャンネルオーディオ信号とを切り換える。
リレー４ｂは、アンプ３ｃ、３ｄから入力される後方左右のサラウンド用オーディオ信号とアンプ３ｅ、３ｆから入力される２チャンネルオーディオ信号とを切り換える。
ヘッドホン端子５ａ、５ｂは、それぞれ、ヘッドホンを接続するための端子であり、ヘッドホンの接続の有無を検出し、検出信号をマイコン８に出力する。
【００１１】
サラウンド用ヘッドホン６は、前方左右のサラウンド用オーディオ信号を出力するスピーカユニット及び後方左右のサラウンド用オーディオ信号を出力するスピーカユニット、並びに前方左右用スピーカユニットにオーディオ信号を入力するためのヘッドホンプラグ及び後方左右用スピーカユニットにオーディオ信号を入力するためのヘッドホンプラグを備える。前方左右用スピーカユニットにオーディオ信号を入力するためのヘッドホンプラグと後方左右用スピーカユニットにオーディオ信号を入力するためのヘッドホンプラグとは、オーディオ信号処理装置のヘッドホン端子５ａとヘッドホン端子５ｂの間隔に一致する間隔をもたせた一体のヘッドホンプラグとして構成されている。
サラウンド用ヘッドホン６の前方左右用スピーカユニットにオーディオ信号を入力するためのヘッドホンプラグはヘッドホン端子５ａに接続され、サラウンド用ヘッドホン６の後方左右用スピーカユニットにオーディオ信号を入力するためのヘッドホンプラグをヘッドホン端子５ｂに接続される。
【００１２】
マイクロコンピュータ（以下、マイコンと言う。）７は、音量音質調節部２ａ、２ｂ、２ｃ、リレー４ａ、４ｂを制御する。マイコン７には、ヘッドホン端子５ａ、５ｂの検出信号が入力される。マイコン７は、ヘッドホン接続検出部７ａ、接続時間差検出部７ｂを備える。ヘッドホン接続検出部７ａは、ヘッドホン端子５ａ、５ｂから入力される検出信号によって、ヘッドホン端子５ａ、５ｂそれぞれの、ヘッドホンの接続の有無を検出する。接続時間差検出部７ｂは、ヘッドホン端子５ａ、５ｂにヘッドホンが接続されたとき、即ち、ヘッドホン端子５ａ、５ｂから入力される検出信号が接続無しから接続有りに変化したとき、ヘッドホン端子５ａが接続無しから接続有りに変化した時間とヘッドホン端子５ｂが接続無しから接続有りに変化した時間との差を検出する。接続時間差検出部７ｂは、検出した時間差を、接続時間差検出部７ｂ内に予め設定された時間差と比較する。接続時間差検出部７ｂ内に予め設定された時間差は、例えば０．５秒である。
操作部８は、操作ボタン等を備え、マイコン７に操作信号を入力する。また、操作部８は、接続時間差検出部７ｂ内に予め時間差を設定する操作キーを備える。表示部９は、マイコン７から入力される表示信号により文字等を表示する。
【００１３】
サラウンド用ヘッドホン６をヘッドホン端子５ａ、５ｂに接続する場合、一体に構成されたヘッドホンプラグを使用するので、ヘッドホン端子５ａとヘッドホン端子５ｂに同時にヘッドホンプラグが接続される。接続時間差検出部７ｂは、ヘッドホン端子５ａとヘッドホン端子５ｂのヘッドホンプラグの接続時間差が、予め設定された時間差０．５秒以内であることを検出する。予め設定された時間差以内であるとき、マイコン７は、リレー４ａ、４ｂを制御して、入力端子１ａ、１ｂから入力された前方左右のサラウンド用オーディオ信号をヘッドホン端子５ａに出力させ、入力端子１ｃ、１ｄから入力された前方左右のサラウンド用オーディオ信号をヘッドホン端子５ｂに出力させる。マイコン７は、サラウンド用オーディオ信号をヘッドホン端子５ａ、５ｂに出力している旨、表示部９に表示させる。
【００１４】
図２は、本発明のオーディオ信号処理装置の一実施例の構成を示すブロック図である。図２は、図１のサラウンド用ヘッドホン６を２チャンネルのヘッドホン１０ａ、１０ｂに置き換えた構成である。図２の、図１と共通の構成部分には同符号を付して説明を省略する。
【００１５】
ヘッドホン１０ａをヘッドホン端子５ａに接続し、ヘッドホン１０ｂをヘッドホン端子５ｂに接続する場合、ヘッドホン端子５ａとヘッドホン端子５ｂのヘッドホンプラグは、別々に接続される。ヘッドホン端子５ａとヘッドホン端子５ｂのヘッドホンプラグは別々に接続されるので、特に同時に接続しようと意識して接続しなければ、通常、ヘッドホン端子５ａとヘッドホン端子５ｂのヘッドホンプラグの接続時間差は予め設定された時間差０．５秒を超えると考えられる。
【００１６】
接続時間差検出部７ｂが検出した、ヘッドホン端子５ａとヘッドホン端子５ｂのヘッドホンプラグの接続時間差が、予め設定された時間差０．５秒を超えたとき、マイコン７は、リレー４ａ、４ｂを制御して、入力端子１ｅ、１ｆから入力された２チャンネルオーディオ信号をヘッドホン端子５ａ、５ｂに、それぞれ出力させる。マイコン７は、２チャンネルオーディオ信号をヘッドホン端子５ａ、５ｂに出力している旨、表示部９に表示させる。
【００１７】
ヘッドホン端子５ａ、５ｂに２チャンネルオーディオ信号を出力させたい場合、予め設定された時間差を超える時間をおいて、ヘッドホン端子５ａ、５ｂにヘッドホン１０ａ、１０ｂのヘッドホンプラグを接続すれば良い。
【００１８】
本実施例では、ヘッドホン６のヘッドホンプラグを一体とする構成について説明したが、本発明を実施する場合、当該構成に限定されるものではなく、ヘッドホンプラグが一体に構成されていない場合であっても、使用者が、ヘッドホン端子５ａに接続するヘッドホンプラグとヘッドホン端子５ｂに接続するヘッドホンプラグとを同時に接続することによって、サラウンド用オーディオ信号をヘッドホンに出力することができる。ここで、使用者が同時に接続しようとしても０．５秒以内に接続することが難しいときには、操作部８を操作して、接続時間差検出部７ｂに設定する時間差を１秒など長めに設定すれば良い。
【図面の簡単な説明】
【００１９】
【図１】本発明のオーディオ信号処理装置の一実施例の構成を示すブロック図である。
【図２】本発明のオーディオ信号処理装置の一実施例の構成を示すブロック図である。
【符号の説明】
【００２０】
１ａ、１ｂ、１ｃ、１ｄ、１ｅ、１ｆ  入力端子
２ａ、２ｂ、２ｃ  音量音質調節部
３ａ、３ｂ、３ｃ、３ｄ、３ｅ、３ｆ  アンプ
４ａ、４ｂ  リレー
５ａ、５ｂ  ヘッドホン端子
６  サラウンド用ヘッドホン
７  マイコン
７ａ  ヘッドホン接続検出部
７ｂ  接続時間差検出部
操作部
９  表示部
１０ａ、１０ｂ  ヘッドホン
【図１】
2006261875.tif 000003
【図２】
2006261875.tif 000004